(57)【要約】【課題】  使用済のパテ研磨用サンドペーパーの目詰まりをまんべんなく除去してペーパー基布に塗布された砥粒を使用前の状態のように林立させて砥面を再生し、サンドペーパーの研摩のきれを復活させてサンドペーパーを複数回使用することを可能にする研磨用サンドペーパー再生器を提供することにある。【解決手段】  サンドペーパー再生機構（２，１０２）を配備したハウジング（１０）と、ハウジングに収容され、使用済みのパテ研磨用サンドペーパーを収容するかご手段側に送風する送風手段（２０）と、使用済みのパテ研磨用サンドペーパーを収容するスペースを有するかご手段（５０，１５０）を具備している。【選択図】      図  １【特許請求の範囲】
【請求項１】
次のａ，ｂ，ｃの構成要素を備えてなるパテ研磨用サンドペーパー再生器。  ａ．サンドペーパー再生機構（２，１０２）を配備したハウジング（１０）。  ｂ．該ハウジングに収容され、使用済みのパテ研磨用サンドペーパーを収容するかご手    段側に送風する送風手段（２０）。  ｃ．使用済みのパテ研磨用サンドペーパーを収容するスペースを有するかご手段（５０    ，１５０）。
【請求項２】
前記かご手段が、回転式かご手段（５０）により構成されている請求項１に記載のパテ研磨用サンドペーパー再生器。
【請求項３】
前記かご手段が、固定式かご手段（１５０）により構成されている請求項１に記載のパテ研磨用サンドペーパー再生器。
【請求項４】
パテ研磨用サンドペーパー再生器であって、  サンドペーパー再生機構（１０２）を配備したハウジング（１０）と、  該ハウジングに収容され、固定式かご手段側に送風する送風手段（２０）と、  使用済みのパテ研磨用サンドペーパーを収容するスペースを有する固定式かご手段（１５０）を備え、  前記送風手段が供給する送風を、前記固定式かご手段に収容した使用済みのパテ研磨用サンドペーパーにまんべんなく吹き付けてパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図ることを特徴とするパテ研磨用サンドペーパー再生器。
【請求項５】
前記ハウジングに収容され、パテ研磨用サンドペーパーから吹き飛ばされたパテ粉末等のサンドペーパー付着物を除塵するフィルタ手段（８０）をさらに備えてなる請求項４に記載のパテ研磨用サンドペーパー再生器。
【請求項６】
次のａ，ｂ，ｃの構成要素を備えてなるパテ研磨用サンドペーパー再生器。  ａ．サンドペーパー再生機構（２）を配備したハウジング（１０）。  ｂ．該ハウジングに収容され、回転式かご手段側に送風する送風手段（２０）。  ｃ．使用済みのパテ研磨用サンドペーパーを収容するスペースを有し、前記送風手段が    供給する送風により回転する回転式かご手段（５０）。
【請求項７】
パテ研磨用サンドペーパー再生器であって、  サンドペーパー再生機構（２）を配備したハウジング（１０）と、  該ハウジングに収容され、回転式かご手段側に送風する送風手段（２０）と、  使用済みのパテ研磨用サンドペーパーを収容するスペースを有し、前記送風手段が供給する送風により回転する回転式かご手段（５０）を備え、  前記送風手段が供給する送風を、前記回転式かご手段に収容した使用済みのパテ研磨用サンドペーパーにまんべんなく吹き付けて前記回転式かご手段と使用済みパテ研磨用サンドペーパーを回転させながらパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図ることを特徴とするパテ研磨用サンドペーパー再生器。
【請求項８】
次のａ，ｂ，ｃ、ｄの構成要素を備えてなるパテ研磨用サンドペーパー再生器  ａ．サンドペーパー再生機構（２）を配備したハウジング（１０）。  ｂ．該ハウジングに収容され、回転式かご手段側に送風する送風手段（２０）。  ｃ．使用済みのパテ研磨用サンドペーパーを収容するスペースを有し、前記送風手段が    供給する送風により回転する回転式かご手段（５０）。  ｄ．前記ハウジングに収容され、パテ研磨用サンドペーパーから吹き飛ばされたパテ粉    末等のサンドペーパー付着物を除塵するフィルタ手段（８０）。
【請求項９】
パテ研磨用サンドペーパー再生器であって、  サンドペーパー再生機構（２）を配備したハウジング（１０）と、  該ハウジングに収容され、回転式かご手段側に送風する送風手段（２０）と、  使用済みのパテ研磨用サンドペーパーを収容するスペースを有し、前記送風手段が供給する送風により回転する回転式かご手段（５０）と、  前記ハウジングに収容され、使用済のパテ研磨用サンドペーパーから離脱したパテ粉末等のサンドペーパー付着物を除塵するフィルタ手段（８０）とを備え、  前記送風手段が供給する送風を、前記回転式かご手段に収容した使用済みのパテ研磨用サンドペーパーにまんべんなく吹き付けて前記回転式かご手段と使用済みパテ研磨用サンドペーパーを回転させながらパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図るとともに、使用済のパテ研磨用サンドペーパーから離脱したパテ粉末等の除塵を図りながら排気することを特徴とするパテ研磨用サンドペーパー再生器。
【請求項１０】
前記ハウジングの中央に前記送風手段を案内する案内台（１１）を設け、該案内台により前記ハウジングに第１室（１３）と第２室（１５）を形成し、この第１室と第２室を通風路（１４）により連通し、前記第１室に前記かご手段（５０，１５０）を、前記第２室に前記フィルタ手段をそれぞれ配設した請求項５、８、９のいずれか一項に記載のパテ研磨用サンドペーパー再生器。
【請求項１１】
前記送風手段が、回転しながら前記かご手段（５０，１５０）に送風する回転ノズル（３０）と、該回転ノズル（３０）を回転させるエアーの供給操作を行なうエアー供給操作部（４０）より構成されている請求項１、４、６、７、１０のいずれか一項に記載のパテ研磨用サンドペーパー再生器。
【請求項１２】
前記送風手段は回転しながら前記回転かご手段側に圧縮空気を送風し、前記送風手段の回転ノズルの回転方向と前記回転式かご手段の回転方向が直交するように、前記送風手段と前記回転式かご手段が配設されている請求項１１に記載のパテ研磨用サンドペーパー再生器。
【請求項１３】
前記回転式かご手段が、かご部（６０）と、該かご部を回転可能に支承する支承部（７０）とから構成されている請求項１２に記載のパテ研磨用サンドペーパー再生器。
【請求項１４】
前記回転式かご手段のかご部が、開放端面を有するかご本体（６１）と、該かご本体（６１）の開放端面の縁部に開閉自在に枢着された蓋体（６２）と、該蓋体（６２）の反対側に配設された面板（６３）を備え、前記かご本体と蓋体を線材により外形形状を円柱状に形成し、多数の通風口を具備している請求項１３に記載のパテ研磨用サンドペーパー再生器。
【発明の詳細な説明】
【技術分野】
【０００１】  本発明は、パテ研ぎ作業の荒研摩や、面出し作業に使用して目詰まりを起こした使用済みのパテ研磨用サンドペーパーを再生するためのパテ研磨用サンドペーパー再生器に関するものである。
【背景技術】
【０００２】  板金時のパテ研ぎ作業の荒研摩や、面出し作業のための器具として、例えば、図２０に示すように、パッド２１１のマジックテープ面２１１Ａに、粗さ番手が例えば４０〜１８０＃の円形のパテ研磨用サンドペーパー２０６を取付けて使用する、エアー駆動式パテ研摩用サンダー１０１が知られている（図２１参照）。【非特許文献１】ボデーショップレポート編集部編  「自動車塗装ガイドブック」
株式会社リペアテック出版  ２０００年５月  ｐ．５０−７３
【発明の開示】
【発明が解決しようとする課題】
【０００３】    パテ研磨用サンドペーパーは、通例、柔軟性のある例えば紙製の基布に砥粒を塗布して形成されており、自動車の板金工場で大量に使用され、研摩中に付着するパテ等により目詰まり起こすと切れ味が悪くなって研磨性能が低下するため、サンドペーパーに林立している研摩粒子が摩耗していなくとも廃棄される実情にある。【０００４】  また、パテ例えば板金パテは、主成分であるポリエステル樹脂（ポリエステルとスチレン）および体質顔料と、硬化剤（過酸化物：パーオキサイド）等を配合して得られるが、サンダーによるパテ研摩時（平面出し）に発生する粉塵やサンドペーパーを目詰まりさせるパテ研削屑には粒径が５μ前後の「じん肺」になる可能性が大なる粒子が含まれており、マスクを着用して吸い込まないように注意する必要がある。【０００５】  したがって、本発明の目的は、一乃至複数枚の使用済のパテ研磨用サンドペーパーの目詰まりをまんべんなく除去してペーパー基布に塗布された砥粒を使用前の状態のように林立させて砥面を再生し、サンドペーパーの研摩のきれを復活させてサンドペーパーを複数回使用することを可能にする研磨用サンドペーパー再生器を提供することにある。【０００６】  本発明の他の目的は、使用済のパテ研磨用サンドペーパーから離脱したパテ粉末等の粉塵（サンドペーパー付着物）をフィルタによりカットし除塵を図りながら排気しじん肺を惹起することがなく、また、環境汚染を招くこともない環境にやさしいパテ研磨用サンドペーパー再生器を提供することにある。
【課題を解決するための手段】
【０００７】  かかる目的を達成すべく、本発明は課題を解決するための手段として次の構成を取った。即ち、次のａ，ｂ，ｃの各要素を備えてなるパテ研磨用サンドペーパー再生器の構成がそれである。  ａ．サンドペーパー再生機構を配備したハウジング。  ｂ．該ハウジングに収容され、使用済みのパテ研磨用サンドペーパーを収容するかご手    段側に送風する送風手段。  ｃ．使用済みのパテ研磨用サンドペーパーを収容するスペースを有するかご手段。【０００８】  前記かご手段は、回転式かご手段、あるいは、固定式かご手段のいずれであってもよい。【０００９】  パテ研磨用サンドペーパー再生器は、サンドペーパー再生機構を配備したハウジングと、該ハウジングに収容され、固定式かご手段側に送風する送風手段と、使用済みのパテ研磨用サンドペーパーを収容するスペースを有する固定式かご手段を備え、前記送風手段が供給する送風を、前記固定式かご手段に収容した使用済みのパテ研磨用サンドペーパーにまんべんなく吹き付けてパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図るようにしてもよい。【００１０】  前記ハウジングに収容され、パテ研磨用サンドペーパーから吹き飛ばされたパテ粉末等のサンドペーパー付着物を除塵するフィルタ手段をさらに備えるようするとよい。【００１１】  パテ研磨用サンドペーパー再生器は、次のａ，ｂ，ｃの構成要素を備えたものとすることもできる。  ａ．サンドペーパー再生機構を配備したハウジング。  ｂ．該ハウジングに収容され、回転式かご手段側に送風する送風手段。  ｃ．使用済みのパテ研磨用サンドペーパーを収容するスペースを有し、前記送風手段が    供給する送風により回転する回転式かご手段。【００１２】  また、パテ研磨用サンドペーパー再生器を、サンドペーパー再生機構を配備したハウジングと、該ハウジングに収容され、回転式かご手段側に送風する送風手段と、使用済みのパテ研磨用サンドペーパーを収容するスペースを有し、前記送風手段が供給する送風により回転する回転式かご手段を備え、前記送風手段が供給する送風を、前記回転式かご手段に収容した使用済みのパテ研磨用サンドペーパーにまんべんなく吹き付けて前記回転式かご手段と使用済みパテ研磨用サンドペーパーを回転させながらパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図るようにしてもよい。【００１３】  また、サンドペーパーから吹き飛ばされたサンドペーパー付着物を除塵するために、パテ研磨用サンドペーパー再生器を、次のａ，ｂ，ｃ、ｄの構成要素を備えたものとすることもできる。  ａ．サンドペーパー再生機構を配備したハウジング。  ｂ．該ハウジングに収容され、回転式かご手段側に送風する送風手段。  ｃ．使用済みのパテ研磨用サンドペーパーを収容するスペースを有し、前記送風手段が    供給する送風により回転する回転式かご手段。  ｄ．前記ハウジングに収容され、パテ研磨用サンドペーパーから吹き飛ば��れたパテ粉    末等のサンドペーパー付着物を除塵するフィルタ手段。【００１４】  パテ研磨用サンドペーパー再生器は、サンドペーパー再生機構を配備したハウジングと、該ハウジングに収容され、回転式かご手段側に送風する送風手段と、使用済みのパテ研磨用サンドペーパーを収容するスペースを有し、前記送風手段が供給する送風により回転する回転式かご手段と、前記ハウジングに収容され、使用済のパテ研磨用サンドペーパーから離脱したパテ粉末等のサンドペーパー付着物を除塵するフィルタ手段とを備え、前記送風手段が供給する送風を、前記回転式かご手段に収容した使用済みのパテ研磨用サンドペーパーにまんべんなく吹き付けて前記回転式かご手段と使用済みパテ研磨用サンドペーパーを回転させながらパテ研磨用サンドペーパーに付着しているパテ等のサンドペーパー付着物を取り除き、使用済みパテ研磨用サンドペーパーの目詰まりを除去してペーパー基布に塗布された砥粒を林立させ砥面の再生を図るとともに、使用済のパテ研磨用サンドペーパーから離脱したパテ粉末等の除塵を図りながら排気する構成としてもよい。【００１５】  前記ハウジングの中央に前記送風手段を案内する案内台を設け、該案内台により前記ハウジングに第１室と第２室を形成し、この第１室と第２室を通風路により連通し、前記第１室に前記かご手段を、前記第２室に前記フィルタ手段をそれぞれ配設するようにするとよい。【００１６】  前記送風手段は、回転しながら前記かご手段に送風する回転ノズルと、該回転ノズルを回転させるエアーの供給操作を行なうエアー供給操作部を備えて構成するとよい。【００１７】  また、前記送風手段は回転しながら前記回転かご手段側に圧縮空気を送風し、前記送風手段の回転ノズルの回転方向と前記回転式かご手段の回転方向が直交するように、前記送風手段と前記回転式かご手段を配設するとよい。【００１８】  前記回転式かご手段を、かご部と、該かご部を回転可能に支承する支承部とから構成するとよい。【００１９】  さらに、前記回転式かご手段のかご部が、開放端面を有するかご本体と、該かご本体の開放端面の縁部に開閉自在に枢着された蓋体と、該蓋体の反対側に配設された面板を備え、前記かご本体と蓋体を線材により外形形状を円柱状に形成し、多数の通風口を具備するようにするとよい。
【発明の効果】
【００２０】  本発明は以上の如く構成され、本発明によれば次の効果を奏する。  （１）使用済のパテ研磨用サンドペーパーの砥面を再生してパテを研摩するペーパーの      砥粒を使用前の状態のように林立させ、サンドペーパーの研摩のきれを復活させて      サンドペーパーを複数回使用することを可能にするパテ研磨用サンドペーパー再生      器が得られる。  （２）使用済のパテ研磨用サンドペーパーから離脱したパテ粉末等の粉塵（サンドペー      パー付着物）をフィルタによりカットし除塵を図りながら排気しじん肺を惹起する      ことがなく、また、環境汚染を招くこともないパテ研磨用サンドペーパー再生器が      得られる。
【発明を実施するための最良の形態】
【００２１】  本発明は、使用済のパテ研磨用サンドペーパーの砥面を再生してパテを研摩するペーパーの砥粒を新品と同様に林立させ、サンドペーパの研磨のきれを復活させるため、サンドペーパー再生機構を配備したハウジングと、該ハウジングに収容され、使用済みのパテ研磨用サンドペーパーを収容するかご側に送風する送風手段と、使用済みのパテ研磨用サンドペーパーを収容するスペースを有するかごを備えている。【００２２】  また、複数枚の使用済のパテ研磨用サンドペーパーの砥面を同時に再生してパテを研摩するペーパーの砥粒を使用前の状態のように林立させ、サンドペーパの研磨のきれを復活させるため、サンドペーパー再生機構を配備したハウジングと、該ハウジングに収容され、回転式かご手段側に送風して回転式かご手段を回転させる送風手段と、使用済みのパテ研磨用サンドペーパーを収容するスペースを有し、送風手段が供給する送風により回転する回転式かご手段を備えている。【００２３】  さらに、使用済のパテ研磨用サンドペーパーから離脱したパテ粉末等の粉塵（サンドペーパー付着物）をフィルタによりカットし除塵を図るため、さらに、ハウジングに収容され、パテ研磨用サンドペーパーから吹き飛ばされたパテ粉末等のサンドペーパー付着物を除塵するフィルタ手段を備えている。
【実施例１】
【００２４】  本発明に係るパテ研磨用サンドペーパー再生器の実施例について、図１乃至図１２を参照しながら説明する。  図１は、本発明に係るパテ研磨用サンドペーパー再生器の各構成部品を示す分解斜視図、  図２は、パテ研磨用サンドペーパー再生器の主要な構成要素であるサンドペーパー再生機構の各構成部品を示す分解斜視図、  図３は、パテ研磨用サンドペーパー再生器の第１のハウジングカバー、第２のハウジングカバーを開放し、送風手段、回転式かご手段、フィルタ手段等を示す斜視図、  図４は、パテ研磨用サンドペーパー再生器の第１のハウジングカバーを開放し、さらに、回転式かご手段の蓋体を開放した状態を示す斜視図、  図５は、パテ研磨用サンドペーパー再生器の第１のハウジングカバー、第２のハウジングカバーを閉鎖した状態を示す斜視図、  図６は、パテ研磨用サンドペーパー再生器の右側面図、  図７（Ａ）は、パテ研磨用サンドペーパー再生器の平面図、  図７（Ｂ）は、パテ研磨用サンドペーパー再生器の正面図、  図８は、パテ研磨用サンドペーパー再生器の送風手段から供給される送風の通風状況を示す図、  図９は、送風手段と回転式かご手段の位置関係を示す図であり、送風手段を構成する供給エアー操作部のバルブステムが閉状態にあるときを示す断面拡大略図、  図１０は、送風手段を構成する供給エアー操作部のバルブステムが図９の状態から開状態になった直後を示す断面拡大略図、  図１１は、図１０の状態からノズル本体が９０度回転した状態を示す断面拡大略図、  図１２は、回転式かご手段が回転可能に支承されていることを示す断面拡大略図である。【００２５】  これらの図において、本発明に係るパテ研磨用サンドペーパー再生器１は、ハウジング１０に収容されたサンドペーパー再生機構２を具備している。【００２６】  このサンドペーパー再生機構２は、送風手段２０と回転式かご手段５０を含んで構成され、さらに、前記ハウジング１０にはフィルタ手段８０を配備している。【００２７】  前記ハウジング１０の中央には案内台１１が配設され、この案内台１１は後述する回転ノズル３０を案内し収容する収容部１２を備えている（図１、図２、図８参照）。また、この案内台１１により前記ハウジング１０には第１室１３と第２室１５が形成され、さらに、この第１室１３と第２室１５は通風路１４により連通状態に置かれている（図８参照）。そして、前記回転式かご手段５０は、前記第１室１３に配設され、また、前記フィルタ手段８０は前記第２室１５にそれぞれ配設される。【００２８】  前記送風手段２０は、前記回転式かご手段５０側に送風して前記回転式がご手段５０を回転させる。このため、前記送風手段２０は、回転式の送風手段として構成され、吐出圧力によって回転しながら前記回転式かご手段５０に送風する回転ノズル３０と、該回転ノズル３０を回転させるエアーの供給操作を行なうエアー供給操作部４０より構成される（図１、図２参照）。【００２９】  前記回転ノズル３０は、前述のとおり、前記ハウジング１０の案内台１１に収容され、ノズル本体３１、ベアリング３２，３４、このベアリング３２，３４を保持するベアリングケース３３、中央に貫通孔を有するボルト３５、ケースカバー３６、このケースカ���ー３６を取り付ける取付けボルト３７より構成される（図１、図９参照）。前記中空部１２の底部１２Ａを挿通する前記取付けボルト３７により前記ケースカバー３６とベアリングケース３３は固定される（図９参照）。そして、前記回転ノズル３０は、組み立てた状態で、前記ボルト３５の中央に穿設された貫通孔が前記ノズル本体３１に連絡するエアー流路３０Ａを形成する（図９、図１０、図１１参照）。【００３０】  前記ノズル本体３１は２つの吐出口３１Ａ，３１Ｂを備え（図１３（Ａ）、図１３（Ｂ）、図１４（Ａ）、図１４（Ｂ））、この２つの吐出口３１Ａ，３１Ｂは、鋭角な角度θ（＝１５度程度）をねじって形成されている（図１４（Ｂ）参照）。さらに、前記回転ノズル３０の回転の中心Ｃ１と前記回転式かご手段５０の回転の中心Ｃ２は、ねじれの位置関係にある。すなわち、それぞれの回転の中心Ｃ１とＣ２は、図９において、距離Ｌだけ離れたねじれの位置関係にあり、前記送風手段２０からの送風により前記回転式かご手段５０の回転を円滑に誘導するよう配慮してある。【００３１】  前記エアー供給操作部４０は、エアースイッチ本体４１、スイッチレバー４２、エアーカプラ４３、ロールピン４４、バルブステム４５、Ｏリング４６、圧縮コイルばね４７、プラグ４８より構成される。前記エアースイッチ本体４１の略中央部には、前記バルブステム４５により仕切られた２つのエアー導入路４０Ａ，４０Ｂが形成されている（図９、図１０、図１１）。また、前記エアースイッチ本体４１の前部には、前記スイッチレバー４２の押圧板４２Ａを収容する凹所４１Ａが形成され、また、前記エアースイッチ本体４１の後部には、前記圧縮コイルばね４７を収容し前記エアー導入路４０Ａ，４０Ｂに通じるくりぬき部４１Ｂが形成されている（図２、図９参照）。前記ロールピン４４は、前記エアースイッチ本体４１の前部に穿設した左右一対の軸承孔４１Ｃ，４１Ｄと、前記スイッチレバー４２の押圧板４２Ａを貫通した貫通孔４２Ｂを挿通している（図２、図１０参照）。また、前記バルブステム４５は前記圧縮コイルばね４７により前記スイッチレバー４２の押圧板４２Ａ側に付勢され、常態（前記エアースイッチ本体４１を操作していない状態）において、前記エアー導入路４１Ａ，４１Ｂを仕切り遮断している。前記バルブステム４５の先端は、前記エアースイッチ本体４１に穿設されたバルブステム挿通孔４１Ｅ（図２参照）より突出し、常時前記スイッチレバー４２の押圧板４２Ａの背面に衝接している。このため、前記スイッチレバー４２は、前記ロールピン４４を短軸として回動する。【００３２】  前記回転ノズル３０とエアー供給操作部４０は、継手９１、接続ホース９２を介して接続される。【００３３】  前記ハウジング１０の外部に露出した前記エアーカプラ４３にコンプレッサー（図示せず）側のホース１５０（図示７参照）を接続し、前記スイッチレバー４２を操作し、前記押圧板４２Ａにより前記バブルステム４５を前記圧縮コイルばね４７に抗しながら押圧すると、前記バブルステム４５は図９の位置から図１０（及び図１１）の位置に移動し、前記エアー供給操作部４０に形成されたエアー導入路４０Ａ，４０Ｂが連通し（図１０及び図１１参照）、前記回転ノズル３０のエアー流出路３０Ａを通じて前記ノズル本体３１の吐出口３１Ａ，３１Ｂから圧縮エアーが吐出する。すると、前記ノズル本体３１は回転し、前記回転式かご手段５０に送風する。【００３４】  前記回転式かご手段５０は、回転可能に支承されたかご部６０と、該かご部６０を回転可能に支承する支承部７０とから構成されている。また、前記回転式かご手段５０は、複数枚の使用済みのパテ研磨用サンドペーパーを収容するスペース５０Ａ（図４参照）を備え、前記送風手段２０が供給する送風（圧縮空気）により回転する。この場合、前記送風手段２０は回転しながら前記回転式かご手段５０に圧縮空気を送風し、前記送風手段２０の回転ノズルの回転方向と前記回転式かご手段５０の回転方向が直交するように、前記送風手段２０と前記回転式かご手段５０は配設される（図１０、図１１参照）。【００３５】  前記回転式かご手段５０のかご部６０は、開放端面を有するかご本体６１と、該かご本体６１の開放端面に開閉自在に枢着された蓋体６２と、該蓋体６２の反対側に配設された面板６３を備えている。前記かご本体６１と蓋体６２は線材により外形形状が円柱状に形成され、多数の通風口６４を備えている。前記面板６３には、その外側中央に前記支承部７０のボルト７４とで回転軸を構成する延出部６３Ａが形成され、この延出部６３Ａには雌ねじ部６３Ｂが螺刻されている（図１２参照）。【００３６】  前記支承部７０は、ベアリング７１，７３、このベアリング７１，７３を保持するベアリングケース７２、ボルト７４を具備しており、前記ボルト７４の先端の雄ねじ部７４Ａは、前記面板６３の雌ねじ部６３Ｂに螺合する（図１、図１２参照）。また、前記ベアリングケース７２は、ハウジング１０の背面パネル１０Ａを挿通する取付けボルト７５により固定される（図１２参照）。【００３７】  前記フィルタ手段８０は前記ハウジング１０に収容され、使用済のパテ研磨用サンドペーパー６から離脱したパテ粉末を除（集）塵する。【００３８】  前記フィルタ手段８０は円筒状の紙製フィルタ本体８１を備え、このフィルタ本体８１は、前記ハウジング１０の前記第２室１５の側壁より水平に延設された支持杆８２に支持され、この支持杆８２の先端のねじ部８２Ａにナット８３を螺合させて前記フィルタ手段８０は前記支持杆８２に固定される。【００３９】  符号１６Ａ、１７Ａはハウジングカバー１６，１７の各把手、１８はハウジング１０の側壁パネル１０Ｂに穿設された排気口、１９Ａ，１９Ｂはハウジング内に落下したパテ粉末等の付着物を収容する付着物収容トレーである。【００４０】  かくして、前記送風手段２０が供給する送風を、前記回転式かご手段５０に収容した複数枚の使用済みのパテ研磨用サンドペーパー６に吹き付けて前記回転式かご手段５０と使用済みパテ研磨用サンドペーパー６をともに回転させ、複数枚の前記パテ研磨用サンドペーパー６に付着しているパテ等のサンドペーパー付着物９を取り除き、使用済みパテ研磨用サンドペーパー６の目詰まりをまんべんなく除去してペーパー基布７に塗布された砥粒８を使用前の状態のように林立させ砥面の再生を図ることが可能となる（図１５（Ａ）、図１５（Ｂ）、図１５（Ｃ）参照）。【００４���】  さらに、ハウジング１０にエアーが流れる流路（第１室１３→通風路１４→第２室１５）を形成し、使用済のパテ研磨用サンドペーパー６から離脱したパテ粉末等をフィルタ手段８０によりカットし除塵を図りながら排気口１８より排気を行なうことも可能となる（図９参照）。
【実施例２】
【００４２】  次に、本発明の第２の実施例を図１３（Ａ）乃至図１９を用いて説明する。  この第２の実施例では、パテ研磨用サンドペーパー再生器１０１を構成するかご手段を固定式かご手段１５０とした例を示す。  この実施例２においては、  （１）サンドペーパー再生機構１０２を配備したハウジング１０を備えている点、  （２）ハウジング１０に収容され、使用済みのパテ研磨用サンドペーパー６を収容する      かご手段側に送風する送風手段２０を備えている点、  （３）使用済みのパテ研磨用サンドペーパー６を収容するスペース１５０Ａを有するか      ご手段１５０を備えている点、  （４）サンドペーパー再生機構１０２を送風手段２０とかご手段１５０を含んで構成し      、さらに、ハウジング１０はフィルタ手段８０を配備している点、  （５）ハウジング１０の中央には案内台１１を配設し、この案内台１１は、回転ノズル      ３０を案内し収容する収容部１２を備え、また、この案内台１１によりハウジング      １０には第１室１３と第２室１５が形成され、さらに、この第１室１３と第２室１      ５は通風路１４により連通状態に置かれ、そして、前記かご手段１５０は、第１室      １３に配設され、また、フィルタ手段８０は第２室１５にそれぞれ配設されている      点、  （６）送風手段２０が、吐出圧力によって回転しながらかご手段１５０側に送風する回      転ノズル３０と、回転ノズル３０を回転させるエアーの供給操作を行なうエアー供      給操作部４０を具備している点、  （７）回転ノズル３０は、ハウジング１０の案内台１１に収容され、ノズル本体３１、      ベアリング３２，３４、このベアリング３２，３４を保持するベアリングケース３      ３、中央に貫通孔を有するボルト３５、ケースカバー３６、このケースカバー３６      を取り付ける取付けボルト３７を具備し（図１６、図１８参照）、中空部１２の底      部１２Ａを挿通する取付けボルト３７によりケースカバー３６とベアリングケース      ３３は固定され、そして、回転ノズル３０は、組み立てた状態で、ボルト３５の中      央に穿設けされた貫通孔が前記ノズル本体３１に連絡するエアー流路３０Ａを形成      する点（図１８、図１９参照）。  （８）ノズル本体３１は２つの吐出口３１Ａ，３１Ｂを備え（図１３（Ａ）、図１３（      Ｂ）、図１４（Ａ）、図１４（Ｂ））、この２つの吐出口３１Ａ，３１Ｂは、鋭角      な角度θ（＝１５度程度）をねじって形成されている点（図１４（Ｂ）参照）、  （９）エアー供給操作部４０が、エアースイッチ本体４１、スイッチレバー４２、エア      ーカプラ４３、ロールピン４４、バルブステム４５、Ｏリング４６、圧縮コイルば      ね４７、プラグ４８より構成され、エアースイッチ本体４１の略中央部には、バル      ブステム４５により仕切られた２つのエアー導入路４０Ａ，４０Ｂが形成されてい      る点、  （１０）エアースイッチ本体４１の前部にはスイッチレバー４２の押圧板４２Ａを収容      する凹所４１Ａが形成され、また、エアースイッチ本体４１の後部には圧縮コイル      ばね４７を収容しエアー導入路４０Ａ，４０Ｂに通じるくりぬき部４１Ｂが形成さ      れており、ロールピン４４は、エアースイッチ本体４１の前部に穿設した左右一対      ��軸承孔４１Ｃ，４１Ｄと、スイッチレバー４２の押圧板４２Ａを貫通した貫通孔      ４２Ｂを挿通し（図１８、図１９参照）、さらに、バルブステム４５は圧縮コイル      ばね４７によりスイッチレバー４２の押圧板４２Ａ側に付勢され、常態（エアース      イッチ本体４１を操作していない状態）において、エアー導入路４１Ａ，４１Ｂを      仕切り遮断し、そして、バルブステム４５の先端は、エアースイッチ本体４１に穿      設されたバルブステム挿通孔４１Ｅ（図１８参照）より突出し、常時スイッチレバ      ー４２の押圧板４２Ａの背面に衝接し、このため、スイッチレバー４２は、ロール      ピン４４を短軸として回動する点、  （１１）回転ノズル３０とエアー供給操作部４０は、継手９１、接続ホース９２を介し      て接続されている点、  （１２）ハウジング１０の外部に露出したエアーカプラ４３にコンプレッサー（図示せ      ず）側のホースを接続し、スイッチレバー４２を操作し、押圧板４２Ａによりバブ      ルステム４５を圧縮コイルばね４７に抗しながら押圧すると、バブルステム４５は      図１８の位置から図１９の位置に移動し、エアー供給操作部４０に形成されたエア      ー導入路４０Ａ，４０Ｂが連通し（図１９参照）、回転ノズル３０のエアー流出路      ３０Ａを通じてノズル本体３１の吐出口３１Ａ，３１Ｂから圧縮エアーが吐出し、      すると、ノズル本体３１は回転し、回転式かご手段５０に送風する点、  （１３）フィルタ手段８０はハウジング１０に収容され、使用済のパテ研磨用サンドペ      ーパー６から離脱したパテ粉末を除（集）塵する点、は第１の実施例と同じであるが、  （１４）使用済みのパテ研磨用サンドペーパー６を収容するスペベース１５０Ａを有す      るかご手段１５０を，ハウジング１０の側壁パネル１０Ｂの内壁に固定した固定式      かご手段１５０とした点、すなわち、かご手段１５０は回転しない固定式かご手段      １５０とした点、が第１の実施例と異なる。【００４３】  この実施例２によれば、前記送風手段２０が供給する送風を、前記かご手段１５０に収容した、例えば、１枚の使用済みのパテ研磨用サンドペーパー６の研削面に吹き付けて前記使用済みパテ研磨用サンドペーパー６の位置を動かさずにパテ研磨用サンドペーパー６に付着しているパテ等のサンドペーパー付着物９を取り除き、使用済みパテ研磨用サンドペーパー６の目詰まりを除去してペーパー基布７に塗布された砥粒８を使用前の状態のように林立させ砥面の再生を図ることが可能となる。【００４４】  さらに、ハウジング１０にエアーが流れる流路（第１室１３→通風路１４→第２室１５）を形成し、使用済のパテ研磨用サンドペーパー６から離脱したパテ粉末等をフィルタ手段８０によりカットし除塵を図りながら排気口１８より排気を行なうことも可能となる。
【図面の簡単な説明】
【００４５】
【図１】本発明に係るパテ研磨用サンドペーパー再生器の各構成部品を示す分解斜視図である。
【図２】パテ研磨用サンドペーパー再生器の主要な構成要素であるサンドペーパー再生機構の各構成部品を示す分解斜視図である。
【図３】パテ研磨用サンドペーパー再生器の第１のハウジングカバー、第２のハウジングカバーを開放し、送風手段、回転式かご手段、フィルタ手段等を示す斜視図である。
【図４】パテ研磨用サンドペーパー再生器の第１のハウジングカバーを開放し、さらに、回転式かご手段の蓋体を開放した状態を示す斜視図である。
【図５】パテ研磨用サンドペーパー再生器の第１のハウジングカバー、第２のハウジングカバーを閉鎖した状態を示す斜視図である。
【図６】パテ研磨用サンドペーパー再生器の右側面図である。
【図７（Ａ）】パテ研磨用サンドペーパー再生器のは平面図である。
【図７（Ｂ）】パテ研磨用サンドペーパー再生器の正面図である。
【図８】パテ研磨用サンドペーパー再生器の送風手段から供給される送風の通風状況を示す図である。
【図９】送風手段と回転式かご手段の位置関係を示す図であり、送風手段を構成する供給エアー操作部のバルブステムが閉状態にあるときを示す断面拡大略図である。
【図１０】送風手段を構成する供給エアー操作部のバルブステムが図９の状態から開状態になった直後を示す断面拡大略図である。
【図１１】図１０の状態からノズル本体が９０度回転した状態を示す断面拡大略図である。
【図１２】回転式かご手段が回転可能に支承されていることを示す一部断面拡大略図である。
【図１３（Ａ）】送風手段を構成している回転ノズルの斜視図である。
【図１３（Ｂ）】送風手段を構成している回転ノズルの正面図である。
【図１４（Ａ）】送風手段を構成している回転ノズルの平面図である。
【図１４（Ｂ）】送風手段を構成している回転ノズルの右側面図であり、２つのノズルの吐出口が鋭角な角度θ（＝１５度程度）ねじれて形成されてことを示す図である。
【図１５（Ａ）】使用済のパテ研磨用サンドペーパーの斜視図である。
【図１５（Ｂ）】使用済のパテ研磨用サンドペーパーの表面にパテ等が付着した状態を示す拡大略図である。
【図１５（Ｃ）】使用済のパテ研磨用サンドペーパーを本発明に係る再生器により再生させ、図１５（Ｂ）の状態から付着物が取れた状態を示す拡大略図である。
【図１６】パテ研磨用サンドペーパー再生器の第２の実施例の構成を示す断面略図である。
【図１７】図１６に示すパテ研磨用サンドペーパー再生器の送風手段から供給される送風の通風状況を示す図である。
【図１８】送風手段を構成する供給エアー操作部のバルブステムが閉状態にあるときを示す断面拡大略図である。
【図１９】送風手段を構成する供給エアー操作部のバルブステムが図１８の状態から開状態になった直後を示す断面拡大略図である。
【図２０】パテ研磨用サンドペーパーを取付けてパテ研ぎ作業の荒研摩や、面出し作業を行なうエアー駆動式パテ研摩用サンダーを示す斜視図である。
【図２１】図２０のサンダーを用いて、作業員がパテ研ぎ作業（面出し作業）を行なってる状態を示す正面略図である。
【符号の説明】
【００４６】    １      パテ研磨用サンドペーパー再生器    ２      サンドペーパー再生機搆  １０      ハウジング  １１      案内台  １２      収容部  １３      第１室  １４      通風路  １５      第２室  １６      第１のハウジングカバー  １７      第２のハウジングカバー  １８      排気口  １９Ａ    付着物収容トレー  １９Ｂ    付着物収容トレー  ２０      送風手段  ３０      回転ノズル  ３０Ａ    エアー流路  ３１      ノズル本体  ３２      ベアリング  ３３      ベアリングケース  ３４      ベアリング  ３５      ボルト  ３６      ケースカバー  ３７      取付けボルト  ４０      供給エアー操作部  ４０Ａ    エアー導入路  ４０Ｂ    エアー導入路  ４１      エアースイッチ本体  ４２      スイッチレバー  ４３      エアーカプラ  ４４      ロールピン  ４５      バルブステム  ４６      Ｏリング  ４７      圧縮コイルばね  ４８      プラグ  ５０      回転式かご手段  ６１      かご本体  ６２      蓋体  ６３      面板  ６３Ａ    延出部  ６３Ｂ    雌ねじ部  ６４      通風口  ７０      支承部  ７１      ベアリング  ７２      ベアリングケース  ７３      ベアリング  ７４      ボルト  ７４Ａ    雄ねじ部  ８０      フィルタ手段  ８１      フィルタ本体  ８２      支持杆  ８３      ナット  ９１      継手  ９２      接続ホース１０１      パテ研磨用サンドペーパー再生器１０２      サンドペーパー再生機構１５０      固定式かご手段
【図１】
2005034978.tif 000002
【図２】
2005034978.tif 000003
【図３】
2005034978.tif 000004
【図４】
2005034978.tif 000005
【図５】
2005034978.tif 000006
【図６】
2005034978.tif 000007
【図７Ａ】
2005034978.tif 000008
【図７Ｂ】
2005034978.tif 000009
【図８】
2005034978.tif 000010
【図９】
2005034978.tif 000011
【図１０】
2005034978.tif 000012
【図１１】
2005034978.tif 000013
【図１２】
2005034978.tif 000014
【図１３Ａ】
2005034978.tif 000015
【図１３Ｂ】
2005034978.tif 000016
【図１４Ａ】
2005034978.tif 000017
【図１４Ｂ】
2005034978.tif 000018
【図１５Ａ】
2005034978.tif 000019
【図１５Ｂ】
2005034978.tif 000020
【図１５Ｃ】
2005034978.tif 000021
【図１６】
2005034978.tif 000022
【図１７】
2005034978.tif 000023
【図１８】
2005034978.tif 000024
【図１９】
2005034978.tif 000025
【図２０】
2005034978.tif 000026
【図２１】
2005034978.tif 000027